(57)【特許請求の範囲】
【請求項１】
天板と、該天板から下方に垂設され、立設可能にバランスよく配された四本の脚部とからなるベッドにおいて、
前記四本の脚部の脚底には、該四本の脚部の一対の対辺及び該対辺を結ぶラインに略Ｈ型に形成された主底板部及び該主底板部の略Ｈ型の各端部近傍から前記対辺を結ぶラインと同じ高さでベッド内側方向へと夫々延設された底板延設部からなる底板が設けられていることを特徴とするベッド。
【請求項２】
前記四本の脚部は、各々前記天板から前記底板の各底板延設部に垂設してなる一又は複数の鋼製柱材で構成したことを特徴とする請求項１に記載のベッド。

【請求項３】
前記四本の脚部は、前記略Ｈ型に形成された主底板部の各端部近傍から前記底板延設部の各端部近傍にかけて脚底を接する側面視で幅広の脚部として前記天板から夫々垂設してなることを特徴とする請求項１又は２のいずれかに記載のベッド。
【請求項４】
前記主底板部の一対の対辺を結ぶライン上に前記天板から下方に第二脚部を垂設してなることを特徴とする請求項１又は３のいずれかに記載のベッド。
【請求項５】
前記天板内に、両端が屈曲した断面視略コ字型の天板用鋼板を内蔵してなることを特徴とする請求項１又は４のいずれかに記載のベッド。
【請求項６】
前記天板内に、格子状の鋼製梁状部材を内蔵してなることを特徴とする請求項１又は５のいずれかに記載のベッド。
【発明の詳細な説明】
【技術分野】
【０００１】
本発明は、災害時等の安全性に優れたベッドに関する。
【背景技術】
【０００２】
我が国は、地震の多発地帯であり、かねてより国民への防災教育が行われており、また、現在、いつ発生するか不明である地震に対し、建築物を耐震補強化する等の具体的な対策を講じる取り組みが進められている。しかしながら、このような耐震補強化対策は、特に一般住宅等において、耐震リフォームの費用等の諸事情によりそれ程普及していないのが実情である。
【０００３】
一方で、阪神・淡路大震災（１９９５年１月１７日）が夜明け前の午前５時４６分に発生したという実例を踏まえ、起床直後のパニック状態ですぐに屋外に避難するのは困難であるという観点から、耐震補強化したベッドの下に一旦避難することは有効であり、また、ベッド自体の耐震補強化にはそれ程費用も掛からないという利点がある。すなわち、耐震補強化の具体的対策として、耐震補強化したベッドを用いることは安全面及び費用面からも非常に有効である。そんな中、地震発生時に身を守ることのできるベッドとして以下のものが開示されている。
【０００４】
例えば、地震発生の際にベッドの下に避難するベッドにおいて、２トン以上の積載強度を持つベッド架台と、該ベッド架台からベッド側面に複数設けた支柱と、該支柱の上下端を連結する上枠部材及び下枠部材とから構成され、前記複数の支柱を設けたベッド一側部の中央近傍につき支柱を設けず、ベッド下への出入り口とした震災避難用シェルタ付きベッドが開示されている（特許文献１）。
【先行技術文献】
【特許文献】
【０００５】
【特許文献１】特開平０８−２９４４３０号公報
【発明の概要】
【発明が解決しようとする課題】
【０００６】
しかしながら、特許文献１に記載の技術では、複数の支柱及びこれらを連結する上下枠部材を設けたことによりベッド自体の強度を向上させてはいるが、該ベッドの一側部のみをベッド下への出入り口とするのは、いざ地震等が発生した際、ベッド下への避難経路が該出入り口に限られてしまい、瓦礫や飛散物等が該出入り口の側面に落下して塞がれるとベッド下に避難できないという問題があった。また、該ベッドに形成された複数の支柱と下枠部材は、家具・インテリアとしての見栄えが悪く、平時における意匠性を欠くという問題もあった。
【０００７】
そこで、本発明は、災害時の安全性に優れ、平時の意匠性にも優れたベッドを提供することを課題とした。
【課題を解決するための手段】
【０００８】
上記課題を解決するために、本発明は次のように構成した。すなわち、本発明に係る請求項１に記載のベッドは、天板と、該天板から下方に垂設され、立設可能にバランスよく配された四本の脚部とからなるベッドにおいて、前記四本の脚部の脚底には、該四本の脚部の一対の対辺及び該対辺を結ぶラインに略Ｈ型に形成された主底板部及び該主底板部の略Ｈ型の各端部近傍から前記対辺を結ぶラインと同じ高さでベッド内側方向へと夫々延設された底板延設部からなる底板が設けられていることを特徴としている。
【０００９】
また、請求項２に記載のベッドは、前記四本の脚部が、各々前記天板から前記底板の各底板延設部に垂設してなる一又は複数の鋼製柱材で構成されたことを特徴としている。
【００１０】
また、請求項３に記載のベッドは、前記四本の脚部が前記略Ｈ型に形成された主底板部の各端部近傍から前記底板延設部の各端部近傍にかけて脚底を接する側面視で幅広の脚部として前記天板から夫々垂設してなることを特徴としている。
【００１１】
また、請求項４に記載のベッドは、前記主底板部の一対の対辺を結ぶライン上に前記天板から下方に第二脚部を垂設してなることを特徴としている。
【００１２】
また、請求項５に記載のベッドは、前記天板内に、両端が屈曲した断面視略コ字型の天板用鋼板を内蔵してなることを特徴としている。
【００１３】
さらに、請求項６に記載のベッドは、前記天板内に、格子状の鋼製梁状部材を内蔵してなることを特徴としている。
【発明の効果】
【００１４】
本発明に係る請求項１に記載のベッドによれば、前記四本の脚部を結ぶ前記略Ｈ型に形成された主底板部及び底板延設部からなる底板により、地震等の災害の際、瓦礫や飛散物等による衝撃又は重圧及び該衝撃又重圧によるベッドのねじれに対して強度を向上させることができるため、該瓦礫や飛散物等になるベッドの圧潰を防止することができ、被災者がベッド下でより安全に身を守ることができる。特に、前記底板延設部によれば、ベッド内側方向への衝撃又は重圧に対する強度を向上させることができるため、前記略Ｈ型の主底板部のみを設けた場合以上に強度が増す。また、被災者は、瓦礫や飛散物等の落下位置に関係なく、ベッドの四方からベッド下に避難することもできるため、地震等の発生という混乱時においても安全にベッド下に避難することができる。
【００１５】
また、通常の底板を設けない市販ベッド等では、瓦礫や飛散物等による衝撃又は重圧が四本ある脚部に集中するため、該市販ベッド等の設置箇所で床抜けが起こるという問題もあったが、該底板を設けたことにより、該衝撃又は重圧を底板の面で受けて力が分散されるため、該市販ベッド等に比して床抜けを防止することができる。
【００１６】
また、請求項２に記載のベッドによれば、前記四本の脚部が、各々前記天板から前記底板の各底板延設部に垂設してなる一又は複数の鋼製柱材で構成されているので、更に強度が向上し、被災者がベッド下でより安全に身を守ることができる。
【００１７】
また、請求項３に記載のベッドによれば、前記底板延設部も含めて脚底を接する側面視で幅広の脚部を設けたことにより、各脚部自体の強度を向上させることに加え、幅広に形成された脚部が瓦礫や飛散物等のベッド下への侵入を防ぐ側壁としての機能を発揮させることができる。
【００１８】
また、請求項４に記載のベッドによれば、前記略Ｈ型に形成された主底板部の一対の対辺を結ぶライン上に第二脚部を設け、前記天板を中央近傍で支持することにより、瓦礫等の落下による天板の崩壊及びベッドの圧潰を防止でき、被災者の安全性をさらに向上させることができる。また、該第二脚部を設けたことにより、被災者が該第二脚部を把持し、腕の力も利用して被災者自身を該第二脚部方向に引き寄せ、ベッド下に滑り込んでスムーズに避難できるとともに、ベッド下に避難した後は、横臥位の被災者が該第二脚部を抱き込む態勢となり、抱き枕等を抱き込む際と同等の安心感を得ることができる。
【００１９】
また、請求項５に記載のベッドによれば、前記天板内に内蔵した天板用鋼板を断面視コ字型に屈曲させたことにより、瓦礫や飛散物等の衝撃に対して強度を向上させることができ、被災者がベッド下でより安全に身を守ることができる。
【００２０】
さらに、請求項６に記載のベッドによれば、前記天板内に格子状の鋼製梁状部材を内蔵したことにより、ベッドの強度をより向上でき、被災者がベッド下でより安全に身を守ることができる。
【００２１】
また、これら請求項１乃至６に記載のベッドは、いわゆる防災用ベッドという程の重厚感に満ちた外観ではなく、通常市販されているようなベッドの外観と遜色ないため、平時の意匠性においても優れている。
【図面の簡単な説明】
【００２２】
【図１】本発明に係るベッドを示す斜視図である。
【図２】該ベッドの構造を示す展開図である。
【図３】該ベッドの第一脚部の構造を示す斜視図である。
【図４】該ベッドの使用状態を示す図である。
【図５】該他の実施例のベッドを示す斜視図である。
【発明を実施するための形態】
【００２３】
以下、図面に基づいて本発明を具体的に説明する。まず、図１は、本発明に係るベッド１を示す斜視図である。該ベッド１は、天板２と、該天板２から下方に垂設され、立設可能にバランスよく前記天板２の各角部から配された四本の第一脚部３と、該第一脚部３の脚底に設けた底板４と、前記天板２の中央近傍から該底板４に垂設した第二脚部５とから構成され、該天板２の下方で各第一脚部３間に開口部Ｘが形成されている。
【００２４】
図２は、該ベッド１の構造を示す展開図である。前記天板２は、木製で長方形の板状に形成され、該天板２内には、下段に断面視略コ字型で鋼製の天板用鋼板２ａ及び上段に格子状の鋼製梁状部材２ｂが内蔵されている。該天板用鋼板２ａは、その両端が屈曲した断面視略コ字型に形成されているため、衝撃に対して折れ曲がりにくく、ベッド下に避難した被災者がより安全に身を守ることができる。さらに、鋼製梁状部材２ｂを内蔵させたことにより被災者の安全性が一層増す。なお、該天板２は、一般的なベッド１に用いられる長方形状としたが、これに限らず、その他多角形、円形又は楕円形状で形成してもよい。また、該図２において、前記天板用鋼板２ａ及び鋼製梁状部材２ｂを図示する便宜上、該天板用鋼板２ａ及び鋼製梁状部材２ｂは実線で示し、天板２は概略的に破線で示す。
【００２５】
また、該天板２は、前記天板用鋼板２ａ及び鋼製梁状部材２ｂを内蔵させたことにより、強度を向上させた上、該天板２の厚みを薄く形成することができる。これにより、床面から天板２の上面までの高さを高くすることなく、床面から天板２の下面までの高さを高くすることができ、被災者が避難するベッド下への出入りのクリアランスをより確保することができる。また、平時においては、ベッド１の天板２の上面の高さが高くならないため、高齢者であっても通常の市販ベッドと同様にベッド１の上面に上がることができる。
【００２６】
前記第一脚部３は、前記天板２の各角部近傍から夫々下方に垂設されている。該各第一脚部３は、鋼製の柱材３ａに木製の化粧材３ｂを被覆して形成されている。また、該鋼製の柱材３ａは、前記天板２の各角部から下方に垂設される第一柱材３ｃと前記天板２の側辺から下方に垂設される第二柱材３ｄとによって構成されている。すなわち、該第一脚部３は、前記第一柱材３ｃ及び第二柱材３ｄを化粧材３ｂにより被覆して形成されている。
【００２７】
該第二柱材３ｄは、本実施例においては各角部に対して一本ずつのみ設けたが、被災者がベッド下に避難可能な開口部Ｘをベッド側面に備えることができれば複数本設けてもよく、該柱材３ａの垂設本数増加により強度も向上する。また、本実施例では、各柱材３ａを化粧材３ｂによって被覆したが、第一柱材３ｃ及び第二柱材３ｄを夫々別個に化粧材３ｂによって被覆してもよい。
【００２８】
前記底板４は、前記四本の第一脚部３の対向する一対の対辺及び該対辺を結ぶラインに略Ｈ型に形成された主底板部４ａと、該主底板部４ａの略Ｈ型の各端部近傍から前記天板２の側辺に沿うベッド１の内側方向に該略Ｈ型の対辺を結ぶラインと同じ高さで夫々延設された底板延設部４ｂとから構成されており、該底板延設部４ｂには、前記天板２の側辺から垂設された第二柱材３ｄの脚底が固定される。
【００２９】
なお、本実施例では、前記天板２の側辺から第一脚部３を垂設したが、前記天板２の広さが前記四本の第一脚部３に囲まれた面よりも広い場合には、前記天板２の下面から四本の第一脚部３が垂設される。また、本実施例では、具体的には図示しないが、該底板４と床面とをネジ止め又は粘着・接着剤で固定するための固定手段を設けている。
【００３０】
また、前記底板延設部４ｂは、前記第一脚部３のうち前記天板２側辺から該底板延設部４ｂへと垂設された各第二柱材３ｄを設けず、コスト削減等の観点から第一柱材３ｃのみを化粧材３ｂで被覆して第一脚部３を形成した場合であっても、該底板延設部４ｂ自体によりベッド１の内側方向への衝撃及び重圧に対してベッド１の強度を高めることは可能である。この際、該化粧材３ｂは、第一柱材３ｃの周面に沿って形成してもよく、図２等に示す化粧材３ｂのように底板延設部４ｂの範囲まで含めて形成してもよい。
【００３１】
また、図３に示すように、このように設けた底板４の主底板部４ａの端部及び前記底板延設部４ｂを含めて脚底と接する一本の幅広に形成された鋼製の柱材３ａに化粧材３ｂを被覆した第一脚部３を設けることも可能であり、前記第一脚部３の強度を向上させることができる。なお、前記第一柱材３ｃ及び第二柱材３ｄのように標準・規格化された鋼製部材を複数設けることにより、該幅広の柱材３ａを設けるに比してコストを削減することができる。
【００３２】
図１乃至図３に示すように前記第一脚部３を構成することにより、該第一脚部３の強度を向上させることができ、また、前記底板延設部４ｂをも脚底として幅広に形成された第一脚部３によれば、ベッド１の側面から瓦礫や飛散物等がベッド下への侵入するのを防止することができるので、被災者はより安全にベッド下で身を守ることができる。
【００３３】
前記第二脚部５は、前記天板２の中央近傍から前記底板４の略Ｈ型の対辺を結ぶライン上に垂設されている。該第二脚部５は、前記第一脚部３と同様に、鋼製の柱材５ａに木製の化粧材５ｂを被覆して形成されている。該第二脚部５は、前記天板２を支持するものであり、該天板２に瓦礫や飛散物等が落下した際に該天板２を補強する。なお、該第二脚部５は、本実施例において図中一本のみ形成したが、これに限らず複数本設けてもよい。
【００３４】
また、該第二脚部５によれば、前記天板２の支持補強はもとより、被災者が該第二脚部５を把持し、腕部の力も利用して被災者自身を該第二脚部５方向に引き寄せることで、ベッド下にスムーズに滑り込んで避難できるとともに、ベッド下に避難した後は、横臥位の被災者が該第二脚部５を抱き込む態勢とすれば、抱き枕等を抱き込む際と同等の安心感を得ることもできる。
【００３５】
前記の通り、本発明に係るベッド１は、天板２、第一脚部３、底板４及び第二脚部５の各構成により、瓦礫や飛散部等の衝撃や重圧に対して強度を向上させることができ、被災者が前記開口部Ｘからベッド下に安全に避難して身を守れるとともに、さらには、該ベッド１は、いわゆる防災用ベッドという程の重厚感に満ちた外観ではなく、通常市販されているようなベッドの外観と遜色ないため、平時の意匠性においても優れている。
【００３６】
次に、前記ベッド１の使用例について説明する。図４は、該ベッド１の使用状態を示す図である。
【００３７】
地震等の災害の発生に伴い、就寝中等の被災者は、ベッド１の側面からベッド下へと非難する。この際、ベッド１の四方の側面には広く開口した開口部Ｘが形成されているため、瓦礫や飛散物等でベッド下へのいずれかの開口部Ｘが塞がれても、被災者はその他の側面からベッド下に安全に避難することができる。また、被災者は強度に優れたベッド１のベッド下で安全に身を守ることができる。そして、地震の揺れが収まった後、避難経路が確保できれば身の安全を確保しながら建物の外に脱出すればよく、そうでないなら救助を待てばよい。なお、前記の通り、該横臥位の被災者は、前記第二脚部５を抱き込むようにして避難態勢をとっている。
【００３８】
次に、本発明に係るベッド１の他の実施例について具体的に説明する。図５は、該他の実施例のベッド１を示す斜視図であって、図５（ａ）は、ヘッドボード６を取り付ける前の斜視図であり、図５（ｂ）は、ヘッドボード６を取り付けた状態を示す斜視図である。該ベッド１は、基本的には前記実施例のベッド１の構成と同じであるが、該ベッド１の短手の一方の側面にヘッドボード６を設けてなる点において異なる。該ヘッドボード６は、該ベッド１を載置する床面から設置されており、該ヘッドボード６の前記天板２よりも下方に棚部７が設けられている。該棚部７には、非常食やラジオ等の避難グッズを保管することができる。
【００３９】
このようにヘッドボード６を備えた場合、被災者がベッド下に避難可能な開口部Ｘは、ベッド１の左右側面及び就寝者の足側側面の三方となるが、該ベッド１は、寝室や宿泊施設等において就寝者の頭側側面を部屋の側壁面に隣接して設置するのが一般的であり、この方向からは基本的にベッド下に避難できないため、この場合、残り三方の側面を開口部Ｘとしてベッド下に避難可能に構成すれば十分である。
【００４０】
また、該ヘッドボード６のベッド１側の側面下端には、前記ベッド１の頭部側に設けられた一対の第一脚部３間の幅に嵌め込み可能な突出板８が形成されており、図５（ｂ）に示す通り、該突出板８は、前記底板４の上面に載置するように固定される。該突出板８が前記一対の第一脚部３間に嵌め込まれることにより、前記一対の第一脚部３の内側方向への強度を向上させることができる。
【００４１】
次に、前記図１及び図２に係る実施例のベッド１につき、構造計算の結果を以下に説明する。
【００４２】
本計算では、前記ベッド１の角部近傍に垂設した四本の各第一柱材３ｃのベッド１短手側辺の第一柱材３ｃ間の距離間隔を８９２ｍｍ、長手側辺の第一柱材３ｃ間の距離間隔を１８９２ｍｍとし、また、各第一脚部３で第一柱材３ｃ及び第二柱材３ｄの距離間隔を２４５ｍｍとしたベッド１において、前記第一脚部３の第一柱材３ｃ及び第二柱材３ｄ並びに第二脚部５の柱材５ａの各素材として、サイズ（Ｂ×Ｄ＝７５ｍｍ×７５ｍｍ）、厚み（ｔ＝３．２ｍｍ）、断面積（Ａ＝８．９２７cm2）、断面係数（Ｚ＝２０．１cm3）、断面二次モーメント（Ｉ＝７５．５cm4）、断面二次半径（ｉ＝２．９１ｃｍ）、材料強度（Ｆ＝２３５Ｎ／mm2）、長期許容応用力度（ｆｔ＝１５７Ｎ／mm2）、細長比（λ＝長さ３８．７８ｍｍ／２．９１＝１３．３）、そして、引張強度（ｆｃ＝１５５Ｎ／mm2）である鉄骨角形鋼管（ＳＴＫＲ４００）を用い、垂直荷重に対する構造計算を行った。
【００４３】
当該構造計算の結果、前記第一脚部３の第一柱材３ｃ及び第二柱材３ｄ並びに第二脚部５の柱材５ａのうち一本の柱材が負担できる最大重量は、Ｐ＝８．９２７×１００×１５５＝１３８３６８．５Ｎ＝１３８．４ＫＮ（１４．１ｔ）であり、前記柱材の合計本数は九本であるから、前記ベッド１全体で負担できる最大重量は、ΣＷ＝１３８．４×９＝１２４５．６ＫＮ（１２７．１ｔ）であることが分かった。
【００４４】
以上のことから、本発明に係るベッド１は、垂直荷重に対して１２７．１トンもの負荷に耐えることができ、上述した２トンの積載強度をもつ従来技術の震災避難用シェルタ付きベッドからはるかに強度に優れた安全で、かつ、避難し易く、さらに、意匠性にも優れたベッド１を提供することができる。
【００４５】
さらに、本発明に係るベッド１は、前記略Ｈ型等に形成された底板４を前記第一脚部３及び第二脚部２の脚底に設けたことにより、垂直荷重に対する強度だけでなく、ねじれ方向に対する強度にも優れ、またさらに、天板２内の天板用鋼板２ａ及び鋼製梁状部材２ｂにより、安全に被災者を守ることができる。
【産業上の利用可能性】
【００４６】
本発明に係る前記四本の第一脚部３、前記底板４及び前記第二脚部５は、ベッド１のみならず、テーブル、ソファ又は長椅子等、四本の脚部を有する家具においても利用可能である。
【符号の説明】
【００４７】
１    ベッド
２    天板
２ａ  天板用鋼板
２ｂ  鋼製梁状部材
３    第一脚部
３ａ  柱材
３ｂ  化粧材
３ｃ  第一柱材
３ｄ  第二柱材
４    底板
４ａ  主底板部
４ｂ  底板延設部
５    第二脚部
５ａ  柱材
５ｂ  化粧材
６    ヘッドボード
７    棚部
８    突出板
【図１】
0006484165.tif 000002
【図２】
0006484165.tif 000003
【図３】
0006484165.tif 000004
【図４】
0006484165.tif 000005
【図５】
0006484165.tif 000006